(57)【要約】【課題】１つの組電池用プローブにより、組電池端子の中心距離の異なる複数種類の組電池の残容量をチェックすることのできる組電池用プローブを備えた組電池用バッテリーテスタを提供することを目的とする。【解決手段】組電池用プローブが、マイナス側プローブ端子１１、第１プラス側プローブ端子１２、及び第２プラス側プローブ端子１３を備え、一対の組電池端子の中心距離が相違する第１組電池と第２組電池に対して、マイナス側プローブ端子１１と第１プラス側プローブ端子１２を用いて、第１組電池の残容量をチェックし、マイナス側プローブ端子１１と第２プラス側プローブ端子１３を用いて、第２組電池の残容量をチェックすることを特徴とする。【選択図】図１
0003181413.tif 000002
【実用新案登録請求の範囲】
【請求項１】
単位電池が複数組み合わされて、一対の組電池端子により所定の電圧を供給する組電池の残容量をチェックするものであって、本体と、前記本体に接続された組電池用プローブとを備える組電池用バッテリーテスタにおいて、
前記組電池用プローブが、マイナス側プローブ端子、第１プラス側プローブ端子、及び第２プラス側プローブ端子を備え、
前記一対の組電池端子の中心距離が相違する第１組電池と第２組電池に対して、前記マイナス側プローブ端子と前記第１プラス側プローブ端子を用いて、前記第１組電池の残容量をチェックし、前記マイナス側プローブ端子と前記第２プラス側プローブ端子を用いて、前記第２組電池の残容量をチェックすること、
を特徴とする組電池用バッテリーテスタ。
【請求項２】
請求項１に記載する組電池用バッテリーテスタにおいて、
前記一対の組電池端子が端子孔で構成され、前記端子孔の直径に対して、前記マイナス側プローブ端子、前記第１プラス側プローブ端子、及び前記第２プラス側プローブ端子の直径が１／２以下であること、
前記一対の組電池端子の中心距離が相違する第３組電池と第４組電池の残容量をチェックすること、
前記第３組電池の残容量をチェックするときに、前記マイナス側プローブ端子と前記第１プラス側プローブ端子が、前記第３組電池の一対の前記端子孔の両外側部位に位置すること、
前記第４組電池の残容量をチェックするときに、前記マイナス側プローブ端子と前記第１プラス側プローブ端子が、前記第４組電池の一対の前記端子孔の両内側部位に位置すること、
を特徴とする組電池用バッテリーテスタ。
【考案の詳細な説明】
【技術分野】
【０００１】
この考案は、単位電池が複数組み合わされて、一対の組電池端子により所定の電圧を供給する組電池の残容量をチェックするものであって、本体と、前記本体に接続された組電池用プローブとを備える組電池用バッテリーテスタに関するものである。
【背景技術】
【０００２】
例えば、自衛隊においては、携帯大型通信機器の電源として、複数種類の組電池を使用している。災害救助等の場面において、電池切れで通信が不良となっては、意味がないため、予備の組電池を含めて常時多数の組電池を携行している。緊急時に、倉庫から持ち出して携行する組電池については、少なくとも、所定の電圧を出力できるか否かをチェックしている。バッテリの残容量をチェックする装置は、広く知られている。例えば、特許文献１を参照。
【先行技術文献】
【特許文献】
【０００３】
【特許文献１】特開2005-195442号
【考案の概要】
【考案が解決しようとする課題】
【０００４】
しかしながら、自衛隊で使用している組電池は、７種類あり、一対の組電池端子の中心距離が電池の種類により大きく相違している。そのため、従来は少なくとも、一対のプローブ端子の中心距離の異なる複数の組電池用プローブを備えた組電池用バッテリーテスタを常に準備する必要があった。
倉庫が災害救助等の前線に位置する場合、複数の組電池用プローブを備えた組電池用バッテリーテスタを準備することは余分なスペース、余分な手間を必要とし、問題であった。
【０００５】
本考案は、上記問題点を解決するためになされたものであり、１つの組電池用プローブにより、組電池端子の中心距離の異なる複数種類の組電池の残容量をチェックすることのできる組電池用プローブを備える組電池用バッテリーテスタを提供することを目的とする。
【課題を解決するための手段】
【０００６】
上記の問題点を解決するために、本考案の一態様における組電池用バッテリーテスタは、次の構成を有している。
（１）単位電池が複数組み合わされて、一対の組電池端子により所定の電圧を供給する組電池の残容量をチェックするものであって、本体と、前記本体に接続された組電池用プローブとを備える組電池用バッテリーテスタにおいて、前記組電池用プローブが、マイナス側プローブ端子、第１プラス側プローブ端子、及び第２プラス側プローブ端子を備え、前記一対の組電池端子の中心距離が相違する第１組電池と第２組電池に対して、前記マイナス側プローブ端子と前記第１プラス側プローブ端子を用いて、前記第１組電池の残容量をチェックし、前記マイナス側プローブ端子と前記第２プラス側プローブ端子を用いて、前記第２組電池の残容量をチェックすること、を特徴とする。
【０００７】
（２）（１）に記載する組電池用バッテリーテスタにおいて、前記一対の組電池端子が端子孔で構成され、前記端子孔の直径に対して、前記マイナス側プローブ端子、前記第１プラス側プローブ端子、及び前記第２プラス側プローブ端子の直径が１／２以下であること、前記一対の組電池端子の中心距離が相違する第３組電池と第４組電池の残容量をチェックすること、前記第３組電池の残容量をチェックするときに、前記マイナス側プローブ端子と前記第１プラス側プローブ端子が、前記第３組電池の一対の前記端子孔の両外側部位に位置すること、前記第４組電池の残容量をチェックするときに、前記マイナス側プローブ端子と前記第１プラス側プローブ端子が、前記第４組電池の一対の前記端子孔の両内側部位に位置すること、を特徴とする。
【考案の効果】
【０００８】
上記構成を有する本考案の組電池用バッテリーテスタの作用・効果について説明する。
（１）単位電池が複数組み合わされて、一対の組電池端子により所定の電圧を供給する組電池の残容量をチェックするものであって、本体と、前記本体に接続された組電池用プローブとを備える組電池用バッテリーテスタにおいて、前記組電池用プローブが、マイナス側プローブ端子、第１プラス側プローブ端子、及び第２プラス側プローブ端子を備え、前記一対の組電池端子の中心距離が相違する第１組電池と第２組電池に対して、前記マイナス側プローブ端子と前記第１プラス側プローブ端子を用いて、前記第１組電池の残容量をチェックし、前記マイナス側プローブ端子と前記第２プラス側プローブ端子を用いて、前記第２組電池の残容量をチェックすること、を特徴とするので、例えば、一対の組電池端子の中心距離が２０．０ｍｍの第１組電池に対して、マイナス側プローブ端子と第１プラス側プローブ端子の中心距離が２５．６ｍｍのマイナス側プローブ端子と第１プラス側プローブ端子を用いて測定し、一対の組電池の中心距離が１１．８ｍｍの第２組電池に対して、マイナス側プローブ端子と第２プラス側プローブ端子との中心距離が１２．８ｍｍのマイナス側プローブ端子と第２プラス側プローブ端子を用いて測定しているため、１つの組電池用プローブにより、組電池端子の中心距離の異なる複数種類の組電池の残容量をチェックすることができる。
【０００９】
（２）（１）に記載する組電池用バッテリーテスタにおいて、前記一対の組電池端子が端子孔で構成され、前記端子孔の直径に対して、前記マイナス側プローブ端子、前記第１プラス側プローブ端子、及び前記第２プラス側プローブ端子の直径が１／２以下であること、前記一対の組電池端子の中心距離が相違する第３組電池と第４組電池の残容量をチェックすること、前記第３組電池の残容量をチェックするときに、前記マイナス側プローブ端子と前記第１プラス側プローブ端子が、前記第３組電池の一対の前記端子孔の両外側部位に位置すること、前記第４組電池の残容量をチェックするときに、前記マイナス側プローブ端子と前記第１プラス側プローブ端子が、前記第４組電池の一対の前記端子孔の両内側部位に位置すること、を特徴とするので、例えば、一対の組電池端子の中心距離が２０．０ｍｍの第３組電池に対して、マイナス側プローブ端子と第１プラス側プローブ端子との中心距離が２５．６ｍｍのマイナス側プローブ端子と第１プラス側プローブ端子を用いて、組電池端子の端子孔の両外側部位に位置させて測定し、一対の組電池端子の中心距離が３２．０ｍｍの第４組電池に対して、マイナス側プローブ端子と第１プラス側プローブ端子との中心距離が２５．６ｍｍのマイナス側プローブ端子と第１プラス側プローブ端子を用いて、組電池端子の端子孔の両内側部位に位置させて測定しているため、１つの組電池用プローブにより、組電池端子の中心距離の異なる複数種類の組電池の残容量をチェックすることができる。
【図面の簡単な説明】
【００１０】
【図１】組電池用プローブの正面図である。
【図２】組電池用プローブの斜視図である。
【図３】７種類の組電池の各々の組電池端子の端子孔及びその中心距離等と、組電池用プローブのプローブ端子の位置関係である。
【図４】(ａ)〜(ｄ)の組電池の残容量をチェックする場合の組電池用プローブの使用時の断面図である。
【図５】(ｅ)の組電池の残容量をチェックする場合の組電池用プローブの使用時の断面図である。
【図６】(ｆ)の組電池の残容量をチェックする場合の組電池用プローブの使用時の断面図である。
【図７】(ｇ)の組電池の残容量をチェックする場合の組電池用プローブの使用時の断面図である。
【図８】組電池用バッテリーテスタの正面図である。
【図９】ケースに入った組電池用バッテリーテスタの斜視図である。
【図１０】組電池の斜視図である。
【考案を実施するための形態】
【００１１】
以下、本考案における組電池用バッテリーテスタ１を具体化した実施形態につき図面を参照して詳細に説明する。
図１は、組電池用プローブ３の正面図である。図２は、組電池用プローブ３の斜視図である。図３は、７種類の組電池の各々の組電池端子の端子孔及びその中心距離等と、組電池用プローブ３のプローブ端子の位置関係を示す。具体的には、(ａ)は１８Ｖの組電池Ｊ−５００４の残容量をチェックする場合を示し、(ｂ)は１２Ｖの組電池Ｊ−５００３の残容量をチェックする場合を示し、(ｃ)は１２Ｖの組電池Ｊ−７００１の残容量をチェックする場合を示し、(ｄ)は１８Ｖの組電池Ｊ−７００５の残容量をチェックする場合を示し、(ｅ)は１２Ｖの組電池Ｊ−７００２の残容量をチェックする場合を示し、(ｆ)は９Ｖの組電池Ｊ−７００６の残容量をチェックする場合を示し、(ｇ)は１８Ｖの組電池Ｊ−７００７の残容量をチェックする場合を示したものである。ここで、組電池とは、単位電池が複数組み合わされて、一対の組電池端子により、所定の電圧を供給するものである。例えば、自衛隊が使用している組電池は７種類（Ｊ−７００６、Ｊ−５００３、Ｊ−７００１、Ｊ−７００２、Ｊ−５００４、Ｊ−７００５、Ｊ−７００７）である。なお、組電池の名称は仮称である。組電池４の外形及び組電池端子の端子孔を図１０に示す。図４は(ａ)〜(ｄ)の組電池用プローブ３の使用時の組電池端子の断面図であり、図５は(ｅ)の組電池用プローブ３の使用時の組電池端子の断面図、図６は(ｆ)の組電池用プローブ３の使用時の組電池端子の断面図、図７は(ｇ)の組電池用プローブ３の使用時の組電池端子の断面図を示す。
【００１２】
組電池用プローブ３の構成を説明する。
図１、図２に示すように、組電池用プローブ３は、把持しやすい形状のプローブ本体１０を有する。その上面には本体２に接続される接続線３０が取り付けられている。プローブ本体１０の下面には３本のピンが一列に並行して突出している。３本のピンは、左からマイナス側プローブ端子１１、第２プラス側プローブ端子１３、及び第１プラス側プローブ端子１２であり、プローブ本体１０の下部に、左から「−」「＋」「＋」の記号が印刷されている。図示しないが、プローブ本体１０の内部にあるバネが、マイナス側プローブ端子１１、第１プラス側プローブ端子１２、及び第２プラス側プローブ端子１３のピン部が外側へ突出する方向へ付勢している。そのため、ピン部に力が加わったときに、３つのプローブ端子は各々プローブ本体１０の内部に押し込まれる。
マイナス側プローブ端子１１と第１プラス側プローブ端子１２の端子間距離はＬ１＝２５.６ｍｍである。また、マイナス側プローブ端子１１と第２プラス側プローブ端子１３の端子間距離はＬ２＝１２.８ｍｍである。第２プラス側プローブ端子１３と第１プラス側プローブ端子１２の端子間距離はＬ３＝１２.８ｍｍである。３つのプローブ端子のピン部の各々の直径は、Ｔ＝１．９ｍｍである。
【００１３】
組電池用バッテリーテスタ１の構成を説明する。
図８は、本体２と、組電池用プローブ３とを備えた組電池用バッテリーテスタ１の正面図である。本体２の正面左側上部には、組電池の最初の電圧値を示すＯＣＶ電圧測定表示部１４があり、その下には１秒間１００ｍＡの電流を流した後の電圧値を示すＣＣＶ電圧測定表示部１５がある。組電池の残容量が正常（大きい）であるとき、１秒後でも電流はほとんど変化しないため、ＣＣＶ電圧値はＯＣＶ電圧値と比較してほとんど変化しない。組電池の残容量が異常（小さい）であるとき、電流は低下するため、ＣＣＶ電圧値はＯＣＶ電圧値と比較して低下する。ＯＣＶ電圧測定表示部１４とＣＣＶ電圧測定表示部１５は、７セグの表示器で構成される。
ＣＣＶ電圧測定表示部１５の下部左側には、組電池のＯＣＶ電圧値とＣＣＶ電圧値が所定の範囲内であると判断された場合に点灯する緑糸のＯＫランプ１６がある。右側には、ＯＣＶ電圧値、またはＣＣＶ電圧値が所定の範囲内でないと判断された場合に点灯するＮＧランプ１７がある。すなわち、ＣＣＶ電圧値が、ＯＣＶ電圧値と比較して規定値内にあるとき、測定している組電池の容量が規定値であると判断してＯＫランプ１６が点灯する。ＣＣＶ電圧値がＯＣＶ電圧値と比較して所定の％低下した場合、測定している組電池の容量が規定値以下であると判断してＮＧランプ１７が点灯する。
ＯＫランプ１６の下側には、本体２の電源を出入力するための電源ロッカースイッチ１８があり、ＮＧランプ１７の下側には電源を入力したときに点灯する電源ランプ１９がある。電源ロッカースイッチ１８の下側には、本体２を起動する電力を供給するためのＤＣ入力端子２０があり、電源ランプ１９の下側には、組電池のＣＣＶ電圧値、またはＯＣＶ電圧値が所定の範囲内でないと判断された場合に鳴る音量を調節するブザーボリュームスイッチ２１がある。
本体２の正面左側下部には、ＤＣ入力端子２０とコンセントとを接続させるＡＣアダプタ２２が備えられている。その隣には、本体２と接続線３０により接続されている組電池用プローブ３が備えられている。
【００１４】
正面右側上部には、６種類の単位電池（Ｄ１、Ｄ２、Ｄ３、Ｄ４、Ｄ５、Ｆ１）の残容量をチェックするための単位電池ホルダ２３がある。なお、単位電池の名称は仮称である。単位電池ホルダ２３は、形の異なった６種類の単位電池をはめ込むために各々の形に合わせて凹部を形成しており、単位電池の端子を合わせるための「＋」「−」の表示がある。単位電池ホルダ２３の下側には、６つの単位電池用ランプＲ１、Ｒ２、Ｒ３、Ｒ４、Ｒ５、Ｒ６が設置されており、その下側には、６種類の単位電池のうち、残容量をチェックしたい単位電池の種類を選択するための単位電池用押しボタンスイッチＢ１、Ｂ２、Ｂ３、Ｂ４、Ｂ５、Ｂ６がある。スイッチの下側には左から、Ｄ１、Ｄ２、Ｄ３、Ｄ４、Ｄ５、Ｆ１の表示がある。なお、図８では見易くするためにＲ２〜Ｒ５、Ｂ２〜Ｂ５の表示を省略する。以下、Ｒ８〜Ｒ１１、Ｂ８〜Ｂ１１、及びＲ１３〜１７、Ｂ１３〜１７の表示も同様に省略する。
単位電池用押しボタンスイッチＢ１〜Ｂ６の下には、左から右に、６つの組電池用ランプＲ７、Ｒ８、Ｒ９、Ｒ１０、Ｒ１１、Ｒ１２と、６つの組電池用押しボタンスイッチＢ７、Ｂ８、Ｂ９、Ｂ１０、Ｂ１１、Ｂ１２が交互に設置されており、その下には、左から、Ｊ−７００１、Ｊ−７００２、Ｊ−５００３、Ｊ−５００４、Ｊ−７００５、Ｊ−７００６の表示がある。
さらにその表示の下には、左から右に、６つの組電池用ランプＲ１３、Ｒ１４、Ｒ１５、Ｒ１６、Ｒ１７、Ｒ１８と、６つの組電池用押しボタンスイッチＢ１４、Ｂ１５、Ｂ１６、Ｂ１７、Ｂ１８が交互に設置されており、その下には、左から、Ｊ−７００７、ＳＰＡＲＥ１、ＳＰＡＲＥ２、ＳＰＡＲＥ３、ＳＰＡＲＥ４、ＳＰＡＲＥ５の表示がある。
例えば、組電池用押しボタンスイッチＢ１１を押すと、それに対応した赤色の組電池用ランプＲ１１が点灯し、続いて他の組電池用押しボタンスイッチＢ１３を押すと、先に点灯していた組電池用ランプＲ１１は消灯し、他の押しボタンスイッチＢ１３に対応した組電池用ランプＲ１３が点灯する。
なお、ＳＰＡＲＥ１〜５は上記の７種類の組電池以外の組電池に使用することができる。
上記表示の下には、本体２を起動する電力を供給するための単位電池を入れる穴（図示しない）があり、穴はカバー２４で覆われている。
【００１５】
本体２は、ケース５に収納することができる。ケース５は、図９に示すように、ケース本体２５、蓋２６、ケース本体２５と蓋２６を支え開閉できるようにするちょうつがい２７とを備える。ケース本体２５は、蓋２６を固定するための留め具２８と、ケース本体２５を持ち運ぶための取手２９を備える。これにより、組電池用バッテリーテスタ１をコンパクトに持ち運ぶことできる。
【００１６】
次に、組電池用バッテリーテスタ１の作用について説明する。
組電池４は、図１０に示すように、組電池端子の端子孔が２つある。一つはマイナス側組電池端子の端子孔３１ａであり、もう一つはプラス側組電池端子の端子孔３２ａである。マイナス側組電池端子の端子孔３１ａに、マイナス側プローブ端子１１を差し込み、プラス側組電池端子の端子孔３２ａに、第１プラス側プローブ端子１２を差し込むことで組電池４の電圧の残容量を測定する。なお、図１０には一例として、Ｊ−５００４の組電池４を示す。
【００１７】
最初に、操作者は、ＡＣアダプタ２２をＤＣ入力端子２０に接続するにより、または単位電池を使用することにより、本体２に電源を供給する。例えば、災害救援等により外部で組電池用バッテリーテスタ１を使用する場合には、単位電池を使用することにより、電源を供給することができる。電源ロッカースイッチ１８を入力に切替すると、電源ランプ１９が点灯する。
【００１８】
一例として、１８ＶのＪ−５００４の残容量をチェックする場合の作用について図３の（ａ）及び図４を用いて説明する。
操作者は、Ｊ−５００４の表示の上の組電池用押しボタンスイッチＢ１０を押し、組電池用ランプＲ１０を点灯させる。
Ｊ−５００４の組電池端子のマイナス側端子孔３１ａ及びプラス側端子孔３２ａの中心距離はＷ１＝２０．０ｍｍである。組電池端子の端子孔３１ａ、３２ａは、各々直径Ｋａ＝１０．０ｍｍである。図４に示すように、組電池端子の端子孔３１ａと３２ａの最長距離はＭ２＝３０．０ｍｍである。また、マイナス側プローブ端子１１と第１プラス側プローブ端子１２の最長距離はＭ１＝２７．５ｍｍである。そのため、組電池端子の端子孔３１ａ、３２ａの底面に組電池用プローブ３のプローブ端子を押し当てたとき、組電池端子の端子孔３１ａ、３２ａには、３０．０ｍｍ−２７．５ｍｍ（Ｍ２−Ｍ１）＝２．５ｍｍの余裕がある。すなわち、それぞれの組電池端子の端子孔３１ａ、３２ａに対し、１．２５ｍｍの余裕を持って、各々マイナス側プローブ端子１１と第１プラス側プローブ端子１２を差し込むことができる。このとき、第２プラス側プローブ端子１３は、組電池４に当たって力が加えられ、組電池用プローブ３の内部に押し込まれる。
【００１９】
組電池用プローブ３のプローブ端子のピン部は直径Ｔ＝１．９ｍｍである。これは、組電池端子の端子孔３１ａ、３２ａの直径Ｋａ＝１０.０ｍｍの２分の１以下である。また、第１プラス側プローブ端子１２は、図４に示すように、一対の(ａ)の組電池端子の端子孔３１ａ、３２ａの直径Ｋａの中心線Ｈａより、各々他方の組電池端子のある方向の逆方向である両外側部位に位置する。
【００２０】
組電池４の最初の電圧値がＯＣＶ電圧測定表示部１４に表示される。また、１秒間１００ｍＡの電流を流した後の組電池４の電圧値がＣＣＶ電圧測定表示部１５に表示される。
組電池４のＯＣＶ電圧値とＣＣＶ電圧値が所定の範囲内であると判断された場合には、緑色のＯＫランプ１６が点灯する。一方、ＯＣＶ電圧値、またはＣＣＶ電圧値が所定の範囲内でないと判断された場合には、赤色のＮＧランプ１７が点灯する。
すなわち、ＯＣＶ電圧値が規定値内にないとき、または、ＯＣＶ電圧値が規定値内にあり、ＣＣＶ電圧値が規定値内にないとき、組電池４の残容量は規定値内にないため、ＮＧランプ１７が点灯する。操作者は、ＯＣＶ電圧測定表示部１４とＣＣＶ電圧測定表示部１５に示される電圧値から、ＯＣＶ電圧値かＣＣＶ電圧値かのどちらが規定値に満たないか把握することができる。これにより、組電池４の残容量をチェックするだけでなく、組電池４が所定時間使用することができるかを判断することもできる。
また、操作者は、辺りが暗くても、赤色のランプか緑色のランプかを確実に識別することができ、所定の電圧を出力できる組電池を判断することができる。
【００２１】
図３の(ｂ)は、１２ＶのＪ−５００３の残容量をチェックする場合、(ｃ)は、１２ＶのＪ−７００１の残容量をチェックする場合、(ｄ)は、１８ＶのＪ−７００５の残容量をチェックする場合である。このように、(ｂ)、(ｃ)、(ｄ)では、各々チェックする組電池が異なり、外形寸法等も異なる。しかし、(ｂ)の組電池端子の端子孔３１ｂ、３２ｂの直径Ｋｂと、(ｃ)の組電池端子の端子孔３１ｃ、３２ｃの直径Ｋｃと、(ｄ)の組電池端子の端子孔３１ｄ、３２ｄの直径Ｋｄとは、(ａ)の端子孔３１ａ、３２ａの直径Ｋａと同じ１０．０ｍｍである。また、(ｂ)の端子孔３１ｂ、３２ｂの中心距離Ｗ１と、(ｃ)の端子孔３１ｃ、３２ｃの中心距離Ｗ１と、(ｄ)の端子孔３１ｄ、３２ｄの中心距離Ｗ１と、マイナス側プローブ端子１１及び第１プラス側プローブ端子１２との位置関係は、（ａ）と同じである。そのため、(ｂ)、(ｃ)、(ｄ)は、(ａ)の組電池の残容量をチェックする場合の作用と同じである。よって、図３の(ｂ)、(ｃ)、(ｄ)の作用についての詳細な説明を省略する。
【００２２】
次に、１２ＶのＪ−７００２の残容量をチェックする場合の作用について図３の(ｅ)を用いて説明する。
操作者は、本体２のＪ−７００２の表示の上の組電池用押しボタンスイッチＢ８を押し、組電池用ランプＲ８を点灯させる。
Ｊ−７００２の組電池端子のマイナス側端子孔３１ｅ及びプラス側端子孔３２ｅの中心距離はＷ２＝３２．０ｍｍである。組電池端子の端子孔３１ｅ、３２ｅは、各々直径Ｋｅ＝１０．０ｍｍである。図５に示すように、組電池端子の端子孔３１ｅと３２ｅの最短距離はＭ３＝２２．０ｍｍである。また、マイナス側プローブ端子１１と第１プラス側プローブ端子１２の最短距離はＭ４＝２３．７ｍｍである。そのため、組電池端子の端子孔３１ｅ、３２ｅの底面に組電池用プローブ３のプローブ端子を押し当てたとき、組電池の端子孔３１ｅ、３２ｅには、２３．７ｍｍ−２２．０ｍｍ（Ｍ４−Ｍ３）＝１．７ｍｍの余裕がある。すなわち、それぞれの組電池の端子孔３１ｅ、３２ｅに対し、０．８５ｍｍの余裕を持って、マイナス側プローブ端子１１と第１プラス側プローブ端子１２を差し込むことができる。このとき、第２プラス側プローブ端子１３は、組電池に当たって力が加えられ、組電池用プローブ３の内部に押し込まれる。
【００２３】
組電池用プローブ３のプローブ端子の直径Ｔ＝１．９ｍｍは、組電池端子の端子孔３１ｅ、３２ｅの直径Ｋｅ＝１０．０ｍｍの２分の１以下である。また、一対の組電池端子孔３１ｅ、３２ｅの直径Ｋｅの中心線Ｈｅより、各々他方の組電池端子の方向である両内側部位に位置する。
【００２４】
次に、９ＶのＪ−７００６の残容量をチェックする場合の作用について図３の(ｆ)を用いて説明する。
操作者は、本体２のＪ−７００６の表示の上の組電池用押しボタンスイッチＢ１２を押し、組電池用ランプＲ１２を点灯させる。
Ｊ−７００６の組電池端子のマイナス側端子孔３１ｆ及びプラス側端子孔３２ｆの中心距離はＷ３＝１４．０ｍｍである。組電池端子の端子孔３１ｆ、３２ｆは各々直径Ｋｆ＝６．０ｍｍである。図６に示すように、組電池端子の端子孔３１ｆと３２ｆの最短距離はＭ５＝８．０ｍｍである。また、マイナス側プローブ端子１１と第２プラス側プローブ端子１３の最短距離はＭ６＝１０．９ｍｍである。そのため、組電池端子の端子孔３１ｆ、３２ｆの底面に組電池用プローブ３のプローブ端子を押し当てたとき、組電池の端子孔３１ｆ、３２ｆには１０．９ｍｍ−８．０ｍｍ（Ｍ６−Ｍ５）＝２．９ｍｍの余裕がある。すなわち、それぞれの組電池の端子孔３１ｆ、３２ｆに対し、１．４５ｍｍの余裕を持って、マイナス側プローブ端子１１と第２プラス側プローブ端子１３を差し込むことができる。このとき、第１プラス側プローブ端子１２は、組電池に当たって力が加えられ、組電池用プローブ３の内部に押し込まれる。
【００２５】
最後に、１８ＶのＪ−７００７の残容量をチェックする場合の作用について図３の(ｇ)を用いて説明する。
操作者は、本体２のＪ−７００７の表示の上の組電池用押しボタンスイッチＢ１３を押し、組電池用ランプＲ１３を点灯させる。
Ｊ−７００７の組電池端子のマイナス側端子孔３１ｇ及びプラス側端子孔３２ｇの中心距離はＷ４＝１１．８ｍｍである。組電池端子の端子孔３１ｇ、３２ｇは各々直径Ｋｇ＝３．０ｍｍである。組電池の端子孔３１ｇと３２ｇの最長距離はＭ８＝１４．８ｍｍである。また、マイナス側プローブ端子１１と第２プラス側プローブ端子１３の最長距離はＭ７＝１４．７ｍｍである。そのため、組電池端子の端子孔３１ｇ、３２ｇの底面に組電池用プローブ３のプローブ端子を押し当てたとき、端子孔３１ｇ、３２ｇには１４．８ｍｍ−１４．７ｍｍ（Ｍ８−Ｍ７）＝０.１ｍｍの余裕がある。すなわち、それぞれの組電池の端子孔３１ｇ、３２ｇに対し、０．０５ｍｍの余裕を持って、マイナス側プローブ端子１１と第２プラス側プローブ端子１３を差し込むことができる。このとき、図７に示すように、第１プローブ端子１２は組電池に当たって力が加えられ、組電池用プローブ３の内部に押し込まれる。
【００２６】
図３の(ａ)から(ｅ)は、組電池用プローブ３のプローブ端子が、第１組電池の残容量のチェックをする場合を示すものである。(ｆ)、(ｇ)は、第２組電池の残容量をチェックする場合を示すものである。第１組電池と第２組電池はそれぞれ組電池端子の中心距離が相違している。
第１組電池は、さらに第３組電池、第４組電池に分けることができる。第３組電池と第４組電池は一対の組電池端子の中心距離が相違している。第３組電池は(ａ)、(ｂ)、(ｃ)、(ｄ)のタイプの組電池であり、第４組電池は(ｅ)のタイプの組電池である。
【００２７】
以上、詳細に説明したように、本考案の組電池用バッテリーテスタ１は、
（１）単位電池が複数組み合わされて、一対の組電池端子により所定の電圧を供給する組電池の残容量をチェックするものであって、本体２と、前記本体２に接続された組電池用プローブ３とを備える組電池用バッテリーテスタ１において、前記組電池用プローブ３が、マイナス側プローブ端子１１、第１プラス側プローブ端子１２、及び第２プラス側プローブ端子１３を備え、前記一対の組電池端子の中心距離が相違する第１組電池と第２組電池に対して、前記マイナス側プローブ端子１１と前記第１プラス側プローブ端子１２を用いて、前記第１組電池の残容量をチェックし、前記マイナス側プローブ端子１１と前記第２プラス側プローブ端子１３を用いて、前記第２組電池の残容量をチェックすること、を特徴とするので、例えば、一対の組電池端子の中心距離がＷ１＝２０．０ｍｍの第１組電池に対して、マイナス側プローブ端子１１と第１プラス側プローブ端子１２との中心距離がＬ１＝２５．６ｍｍのマイナス側プローブ端子１１と第１プラス側プローブ端子１２を用いて測定し、一対の組電池端子の中心距離がＷ４＝１１．８ｍｍの第２組電池に対して、マイナス側プローブ端子１１と第２プラス側プローブ端子１３との中心距離がＬ２＝１２．８ｍｍのマイナス側プローブ端子１１と第２プラス側プローブ端子１３を用いて測定しているため、１つの組電池用バッテリーテスタ１により、組電池端子の中心距離の異なる複数種類の組電池の残容量をチェックすることができる。
【００２８】
（２）（１）に記載する組電池用バッテリーテスタ１において、前記一対の組電池端子が端子孔で構成され、前記端子孔の直径に対して、前記マイナス側プローブ端子１１、前記第１プラス側プローブ端子１２、及び前記第２プラス側プローブ端子１３の直径が１／２以下であること、前記一対の組電池端子の中心距離が相違する第３組電池と第４組電池の残容量をチェックすること、前記第３組電池の残容量をチェックするときに、前記マイナス側プローブ端子１１と前記第１プラス側プローブ端子１２が、前記第３組電池の一対の前記端子孔の両外側部位に位置すること、前記第４組電池の残容量をチェックするときに、前記マイナス側プローブ端子１１と前記第１プラス側プローブ端子１２が、前記第４組電池の一対の前記端子孔の両内側部位に位置すること、を特徴とするので、例えば、一対の組電池端子の中心距離がＷ１＝２０.０ｍｍの第３組電池に対して、マイナス側プローブ端子１１と第１プラス側プローブ端子１２との中心距離がＬ１＝２５．６ｍｍのマイナス側プローブ端子１１と第１プラス側プローブ端子１２を用いて、組電池端子の端子孔の両外側部位に位置させて測定し、一対の組電池端子の中心距離がＷ２＝３２.０ｍｍの第４組電池に対して、マイナス側プローブ端子１１と第１プラス側プローブ端子１２との中心距離がＬ１＝２５．６ｍｍのマイナス側プローブ端子１１と第１プラス側プローブ端子１２を用いて、組電池端子の端子孔３１ｅ、３２ｅの両内側部位に位置させて測定しているため、１つの組電池用バッテリーテスタ１により、組電池端子の中心距離の異なる複数種類の組電池の残容量をチェックすることができる。
【００２９】
以上において、本考案を実施形態に即して説明したが、本考案は上記実施形態に限定されるものではなく、その要旨を逸脱しない範囲で、適宜変更して適用できる。
例えば、本実施形態では、７種類の組電池のみ説明をしたが、異なる大きさの組電池に対しても適用しうる。
【符号の説明】
【００３０】
１      組電池用バッテリーテスタ
２      本体
３      組電池用プローブ
４      組電池
１１    マイナス側プローブ端子
１２    第１プラス側プローブ端子
１３    第２プラス側プローブ端子
【図１】
0003181413.tif 000003
【図２】
0003181413.tif 000004
【図３】
0003181413.tif 000005
【図４】
0003181413.tif 000006
【図５】
0003181413.tif 000007
【図６】
0003181413.tif 000008
【図７】
0003181413.tif 000009
【図８】
0003181413.tif 000010
【図９】
0003181413.tif 000011
【図１０】
0003181413.tif 000012